(57)【要約】【課題】比較的簡単な方法でスプライス部を保護可能なスプライス部保護用部材を得る。【解決手段】複数のひだ部対１はそれぞれシート部２０の表面に沿って長手方向に延び両端に開口部１３を有する収納空間を形成している。ひだ部対１を構成する一方ひだ部１１及び他方ひだ部１２はそれぞれ弾性を有するゴムにより所定の膜厚をもって形成されているため、外力により上記収納空間の上部が開放可能である。すなわち、ひだ部対１は外力が働かないとき上記収納空間は閉状態であり、電線束４０のスプライス部を含むスプライス収納部分３をシート部の表面の上方から挿入する際は上記収納空間の上部を開放状態にしながら、スプライス収納部分３を挿入して上記収納空間内に配置することができる。【選択図】図１
2013223321.tif 000002
【特許請求の範囲】
【請求項１】
第１主面及び第２主面を有するシート部と、
前記シート部の第１主面上に形成され、第１主面に沿って長手方向に延び両端に開口部を有する収納空間を形成可能なひだ部対とを備え、
前記ひだ部対は外力により前記収納空間の上部が開放可能な弾性を有し、所定の電線束のスプライス部を前記シート部の第１主面の上方から挿入して、前記収納空間内に配置可能なスプライス部配置構造を有することを特徴とする、
スプライス部保護用部材。
【請求項２】
請求項１記載のスプライス部保護用部材であって、
前記所定の電線束は複数の電線束を含み、
前記ひだ部対は複数のひだ部対を含み、前記複数のひだ部対はそれぞれ前記複数の電線束のうち対応する電線束に対して前記スプライス部配置構造を有する、
スプライス部保護用部材。
【請求項３】
請求項２記載のスプライス部保護用部材であって、
前記シート部は第１主面を内側にして丸めることにより、前記複数のひだ部対を前記シート部内に一括収納するコンパクト化状態に変形可能であり、
前記シート部の前記コンパクト化状態を固定可能な固定部材をさらに備える、
スプライス部保護用部材。
【請求項４】
スプライス部を有する電線束と、
スプライス部保護用部材とを備え、
前記スプライス部保護用部材は、
第１主面及び第２主面を有するシート部と、
前記シート部の第１主面上に形成され、弾性を有するひだ部対とを備え、
前記ひだ部対は第１主面に沿って長手方向に延び両端に開口部を有する収納空間を形成し、
前記電線束の前記スプライス部は前記収納空間内に配置されることを特徴とする、
ワイヤーハーネス。
【請求項５】
請求項４記載のワイヤーハーネスであって、
前記スプライス部へ水が浸入しないよう、また大きな外力が加わる場合には前記収納空間から逸脱しないように、前記ひだ部対の少なくとも一部に塗布されたシール剤をさらに備える、
ワイヤーハーネス。
【発明の詳細な説明】
【技術分野】
【０００１】
この発明は、電線束のスプライス部の保護構造に関し、特にスプライス部保護用部材及びそれを用いたワイヤーハーネスに関する。
【背景技術】
【０００２】
ワイヤーハーネス本体部となる電線束を構成する複数の被覆電線それぞれにおいて、端末部分や中間部分の芯線を被覆部から露出させ、露出した芯線部分に対し超音波溶接等の溶接処理を施すことにより複数の芯線を一つのスプライス部に接合する方法が従来から用いられている。
【０００３】
スプライス部は露出状態のままでは漏電や他の導体との短絡等の危険性が生じるため、スプライス部をテープ巻きしたり、樹脂性の保護キャップをスプライス部に取り付けたり、収縮チューブをスプライス部に装着したりして、スプライス部を外部から保護していた。なお、保護キャップによるスプライス部の保護構造は例えば特許文献１に開示されている。
【先行技術文献】
【特許文献】
【０００４】
【特許文献１】特開２００１−２５８１４２号公報
【発明の概要】
【発明が解決しようとする課題】
【０００５】
従来のスプライス部保護構造は以上のようにテープ巻き、保護キャップあるいは収縮チューブ等の保護用部材を用いて行われていた。
【０００６】
しかしながら、上述した従来の保護用部材ではその取り付けに比較的時間を要し、特に、スプライス部が複数存在する場合、保護用部材の取り付けを複数回行う必要があり、多大な作業時間を要してしまうという問題点があった。
【０００７】
この発明は上記問題点を解決するためになされたもので、比較的簡単な方法でスプライス部を保護可能なスプライス部保護用部材を得ることを目的とする。
【課題を解決するための手段】
【０００８】
この発明に係る請求項１記載のスプライス部保護用部材は、第１主面及び第２主面を有するシート部と、前記シート部の第１主面上に形成され、第１主面に沿って長手方向に延び両端に開口部を有する収納空間を形成可能なひだ部対とを備え、前記ひだ部対は外力により前記収納空間の上部が開放可能な弾性を有し、所定の電線束のスプライス部を前記シート部の第１主面の上方から挿入して、前記収納空間内に配置可能なスプライス部配置構造を有することを特徴とする。
【０００９】
請求項２の発明は、請求項１記載のスプライス部保護用部材であって、前記所定の電線束は複数の電線束を含み、前記ひだ部対は複数のひだ部対を含み、前記複数のひだ部対はそれぞれ前記複数の電線束のうち対応する電線束に対して前記スプライス部配置構造を有する。
【００１０】
請求項３の発明は、請求項２記載のスプライス部保護用部材であって、前記シート部は第１主面を内側にして丸めることにより、前記複数のひだ部対を前記シート部内に一括収納するコンパクト化状態に変形可能であり、前記シート部の前記コンパクト化状態を固定可能な固定部材をさらに備える。
【００１１】
請求項４の発明は、スプライス部を有する電線束と、スプライス部保護用部材とを備え、前記スプライス部保護用部材は、第１主面及び第２主面を有するシート部と、前記シート部の第１主面上に形成され、弾性を有するひだ部対とを備え、前記ひだ部対は第１主面に沿って長手方向に延び両端に開口部を有する収納空間を形成し、前記電線束の前記スプライス部は前記収納空間内に配置されることを特徴とする。
【００１２】
請求項５の発明は、請求項４記載のワイヤーハーネスであって、前記スプライス部へ水が浸入しないよう、また大きな外力が加わる場合には前記収納空間から逸脱しないように、前記ひだ部対の少なくとも一部に塗布されたシール剤をさらに備える。
【発明の効果】
【００１３】
請求項１記載の本願発明におけるスプライス部保護用部材は、上記スプライス部配置構造を有するため、シート部の第１主面の上方から所定の電線束のスプライス部を挿入して、ひだ部対の収納空間内に配置するという比較的簡単な方法によって、スプライス部を外部から保護することができる。その結果、所定の電線束におけるスプライス部の保護処理を短時間で完了することができる効果を奏する。
【００１４】
請求項２記載の本願発明は、前記複数のひだ部対はそれぞれスプライス部配置構造を有するため、複数の電線束のスプライス部の保護をまとめて行うことができる効果を奏する。
【００１５】
請求項３記載の本願発明は、複数のひだ部対を内部に一括収納するコンパクト化状態にシート部を変形することができるため、複数の電線束のスプライス部をシート部の第１主面内に内にコンパクトに収納して保護することができる。
【００１６】
請求項４記載の本願発明は上記構造を呈するため、電線束のスプライス部をひだ部対の上記収納空間内に配置するという比較的簡単な方法によって、スプライス部を外部から保護できる本願発明のワイヤーハーネスを得ることができる。
【００１７】
請求項５記載の本願発明は、シール剤によって上記収納空間内にスプライス部を安定性良く収納することができる。
【図面の簡単な説明】
【００１８】
【図１】この発明の実施の形態１であるひだ付きゴムシートの構成を示す斜視図である。
【図２】この発明の実施の形態１であるひだ付きゴムシートによるスプライス部保護状態を示す斜視図である。
【図３】保護対象となる電線束における中間スプライス状態を示す説明図である。
【図４】スプライス部をひだ部対の収納空間内に配置した後のコンパクト化処理を模式的に示す説明図である。
【図５】実施の形態１のひだ付きゴムシートのシート部に形成される貫通口を模式的に示す説明図である。
【図６】この発明の実施の形態２であるひだ付きゴムシートによるスプライス部保護状態を示す斜視図である。
【図７】従来のテープ巻きによるスプライス収納部分の保護状態を示す説明図である。
【発明を実施するための形態】
【００１９】
＜実施の形態１＞
（基本構成）
図１はこの発明の実施の形態１であるスプライス部保護用部材であるひだ付きゴムシート２１の構成を示す斜視図である。
【００２０】
同図に示すように、実施の形態１のひだ付きゴムシート２１は表面（第１主面）及び裏面（第２主面）を有するゴム製のシート部２０と、シート部２０の表面上に形成されたゴム製の複数のひだ部対１とから構成されている。
【００２１】
複数のひだ部対１はそれぞれシート部２０の表面上に、互いに隣接して長手方向に延びて立設される一方ひだ部１１と他方ひだ部１２との組合せにより構成される。一方ひだ部１１及び他方ひだ部１２は付け根部分１１ｂ及び１２ｂから中央部分１１ｃ及び１２ｃにかけて互いに遠ざかる方向に曲線状に形成され、中央部分１１ｃ及び１２ｃから先端部分１１ｔ及び１２ｔにかけて互いに近づく方向に曲線上に形成され、先端部分１１ｔ及び１２ｔは互いに接している。
【００２２】
したがって、一方ひだ部１１，他方ひだ部１２間には（最大）開口幅Ｗ１及び開口高さＨ１のＯ字状の開口部１３がその両端に設けられる（図１では一方端の開口部１３のみ図示）。すなわち、複数のひだ部対１はそれぞれシート部２０の表面に沿って長手方向に延び両端に開口部１３を有する収納空間を形成している。このような形状のひだ部対１は例えば金型を用いた成型によって形成される。
【００２３】
一方ひだ部１１及び他方ひだ部１２はそれぞれ弾性を有するゴムにより所定の膜厚をもって形成されているため、外力により上記収納空間の上部が開放可能である。すなわち、ひだ部対１は外力が働かないとき上記収納空間は閉状態（図１で示す状態）であり、電線束のスプライス部をシート部２０の表面の上方から挿入する際は上記収納空間の上部を開放状態（図１で示す状態から先端部分１１ｔと先端部分１２ｔとの間に透き間ができる状態）にしながら、スプライス部を挿入して上記収納空間内に配置することができる。
【００２４】
なお、図１では３つのひだ部対１が形成されている状態を示しているが、シート部２０の形成方向（図中左右方向）に沿ってさらにひだ部対１が形成されている態様でも良い。
【００２５】
（スプライス部保護方法）
図２はこの発明の実施の形態１であるひだ付きゴムシート２１によるスプライス部保護状態を示す斜視図である。図３は保護対象となる電線束４０における中間スプライス状態を示す説明図である。
【００２６】
図３に示すように、電線束４０は３本の被覆電線２から構成され、３本の被覆電線２の中間部において被覆部２ｃから露出した３本の芯線２ｗ（複数の素線群）に対し、超音波溶接等を施すことにより、３本の芯線２ｗが一つのスプライス部５として接合される。このスプライス部５、その周辺の露出した芯線２ｗを含む領域がスプライス収納部分３となる。
【００２７】
以下、図１〜図３を参照して、実施の形態１のひだ付きゴムシート２１を用いて、図３で示すスプライス部５を有する電線束４０を保護するスプライス部保護方法を説明する。なお、図２は図３で示した電線束４０を３本有し、３本の電線束４０それぞれに対するスプライス部保護状態を示しているが、説明の都合上、１本の電線束４０におけるスプライス部保護方法を中心に説明する。
【００２８】
まず、図１に示す状態にひだ付きゴムシート２１を配置して、電線束４０のスプライス部５を含むスプライス収納部分３をシート部２０の表面の上方から、先端部分１１ｔ及び１２ｔ間にスプライス収納部分３を挟むことにより、先端部分１１ｔ及び１２ｔ間に透き間を設け、上記収納空間の上部を開放状態にしながらスプライス収納部分３を挿入して上記収納空間内に配置する。
【００２９】
電線束４０が上記収納空間内に配置された後は、ひだ部対１の先端部分１１ｔ及び１２ｔ間に障害物は存在しなくなくため、一方ひだ部１１及び他方ひだ部１２の元の状態（図１，図２で示す状態）に戻ろうとする弾性により、特に外力を要することなく、図２に示すように、先端部分１１ｔ及び１２ｔが接触し、上記収納空間が閉じられる。
【００３０】
その結果、電線束４０におけるスプライス収納部分３をひだ部対１の上記収納空間内に配置した状態で、スプライス部５の外周をひだ部対１によって完全に覆うことにより、スプライス部５を外部から保護することができる。
【００３１】
このように、実施の形態１のひだ付きゴムシート２１における複数のひだ部対１は、電線束４０のスプライス部５を含むスプライス収納部分３をシート部２０の表面の上方から挿入して、上記収納空間内に配置可能なスプライス部配置構造を有している。
【００３２】
なお、上記処理は３本の電線束４０及び３つのひだ部対１のうち、他の２本の電線束４０及び２つのひだ部対１においても同様に行われる。
【００３３】
このように、３つのひだ部対１それぞれの上記収納空間の上部を開放状態にしながら、３つの上記収納空間内に３本の電線束４０のスプライス収納部分３（スプライス部５）を配置した後、３つの上記収納空間を閉状態に戻すことによって、ひだ付きゴムシート２１よって３本の電線束４０のスプライス部５を外部から保護されたワイヤーハーネスを得ることができる。
【００３４】
（効果等）
図７は従来のテープ巻きによるスプライス収納部分３の保護状態を示す説明図である。同図に示すように、スプライス部を含むスプライス収納部分（図３のスプライス収納部分３相当）を固定用テープ６によって巻くことにより、スプライス部を外部から保護している。この従来方法では、スプライス収納部分が露出しないように固定用テープ６を精密に巻き付けて取り付ける必要があるため、実施の形態１のひだ付きゴムシート２１に比べて長い作業時間を要してしまう。特に、保護対象のスプライス部が複数存在する場合、より多大な作業時間を要してしまう問題点がある。
【００３５】
一方、上述したように、実施の形態１のひだ付きゴムシート２１は上記スプライス部配置構造を有している。したがって、ひだ部対１によって形成される上記収納空間の上部を開放状態にしながら上記収納空間内に電線束４０のスプライス部５を配置するという比較的簡単な取り付け作業によって、スプライス部を外部から保護することができるため、スプライス部５の保護処理に要する作業時間の短縮化を図ることができる。
【００３６】
そして、実施の形態１は３つのひだ部対１はそれぞれ３本の電線束４０のうち対応する電線束４０のスプライス収納部分３（スプライス部５）に対するスプライス部配置構造を有するため、ひだ付きゴムシート２１は複数の電線束４０のスプライス部５の保護を一括して行うことができる。
【００３７】
また、ひだ付きゴムシート２１によってスプライス部５が外部から保護されるワイヤーハーネスは、上述したように、比較的簡単な作業によって完成することができる効果を奏する。
【００３８】
次に、ひだ部対１によって形成される上記収納空間の開口部１３の寸法について説明する。例えば、電線束４０を構成する被覆電線２それぞれの芯線２ｗの断面積が０．５ｍ２で被覆電線２全体の径が１．６ｍｍ程度の場合、３本の被覆電線２を直列に配置した場合における断面形状は約（幅Ｗ２＝１．６（ｍｍ）、高さＨ２＝４．８（ｍｍ））となる。このような電線束４０に対して、開口部１３の開口幅Ｗ１を１．５（ｍｍ）、開口高さＨ１を４．５（ｍｍ）にし、３本の被覆電線２による断面形状より開口部１３の形状の方が少し狭くなるように設定する。
【００３９】
その結果、ひだ部対１の弾性力によって上記収納空間内にスプライス収納部分３を安定性良く保持することができる。
【００４０】
（コンパクト化処理）
上述したように、３つのひだ部対１の収納空間に３本の電線束４０のスプライス部５を配置した後は、当該３つのひだ部対１を含ませながらシート部２０の両端をひだ部対１の形成方向（ひだ部対１における長手方向）に沿って切断した後、以下で述べるコンパクト化処理を行うことができる。
【００４１】
図４は３本の電線束４０のスプライス部５を３つのひだ部対１の上記収納空間内に配置した後のコンパクト化処理を模式的に示す説明図である。図５は実施の形態１のひだ付きゴムシート２１のシート部２０に形成される貫通口８を模式的に示す説明図である。
【００４２】
図５に示すように、シート部２０はその両端部分（図３で一方端部分のみ示す）それぞれに表面から裏面にかけて貫通する貫通口８を複数設けている（図５では３つ設けた場合を示している）。すなわち、シート部２０を貫通して形成される貫通口８により、表面には開口部８ａが設けられ、その裏面には開口部８ｂが設けられる。
【００４３】
また、固定部材としてゴム栓７が準備される。ゴム栓７は例えば両端に先端部分が頂点となる円錐形状のボタン部７ａ，７ｂが設けられ、ボタン部７ａ，７ｂ間を筒状の連結部７ｘによって連結している。
【００４４】
したがって、図４に示すように、シート部２０の表面を内側にして複数のひだ部対１の配列方向に沿って丸めることにより、複数のひだ部対１をシート部２０内に一括収納したコンパック化状態にシート部２０を変形することができる。この際、シート部２０の一方端部分の貫通口８と、他方端部分の貫通口８とが連続的に配置され、２つの貫通口８による連結貫通口８０が形成されるように位置決めする。
【００４５】
このコンパクト化状態でシート部２０の外側の開口部８ｂからボタン部７ａを頭にして、ボタン部７ａを貫通口８内に挿入可能に変形させながら、ボタン部７ａ及び連結部７ｘを連結貫通口８０内に挿入し、最終的にシート部２０の内側の開口部８ａからボタン部７ａを突出させる。ボタン部７ａ及びボタン部７ｂの底面形状は開口部８ａ及び開口部８ｂより十分広く形成されており、ボタン部７ａ及び７ｂの底面がストッパーとして機能するため、ゴム栓７によってシート部２０の上記コンパクト化状態を固定することができる。
【００４６】
なお、上述したゴム栓７による固定は複数箇所（図５の例では３箇所）で行われるため、ゴム栓７による固定後のシート部２０のコンパクト化状態は安定性良く固定される。
【００４７】
このように、実施の形態１のひだ付きゴムシート２１は、複数のひだ部対１を一括収納するコンパクト化状態にシート部２０を変形した後、ゴム栓７によって固定することができるため、複数の電線束４０のスプライス部５をシート部２０の表面内にコンパクトに一括収納して保護することができる。
【００４８】
＜実施の形態２＞
図６はこの発明の実施の形態２であるひだ付きゴムシート２２によるスプライス部保護状態を示す斜視図である。
【００４９】
同図に示すように、実施の形態２のひだ付きゴムシート２２では、図２で示した実施の形態１のひだ付きゴムシート２１による複数の電線束４０の収納後に、複数のひだ部対１それぞれに対し、さらに先端部分１１ｔ及び１２ｔ間及びその近傍領域並びに開口部１３の外周部及びその近傍領域にシリコン等のシール剤１０を塗布している。すなわち、実施の形態２のひだ付きゴムシート２２はシール剤１０を塗布した点において、実施の形態１のひだ付きゴムシート２１と異なっている。
【００５０】
このように、実施の形態２のひだ付きゴムシート２２は、シール剤１０を塗布することにより、電線束４０のスプライス部５へ水が浸入しないよう、また大きな外力が加わる場合には上記収納空間から逸脱しないようにしている。
【００５１】
このため、実施の形態２のひだ付きゴムシート２２は、シール剤１０によって上記収納空間内にスプライス部５を安定性良く収納することができる。
【００５２】
＜その他＞
上述した実施の形態では、中間スプライスであるスプライス部５に対するひだ付きゴムシート２１（２２）による保護を示したが、同様にして電線束４０の端末部分にスプライス部を設ける端末スプライスに対しても上述した保護を行えることは勿論である。
【００５３】
また、複数の電線束４０の複数のスプライス部５の形状が異なる場合、複数のスプライス部５の形状に適合した上記収納空間を有するように複数のひだ部対１を設けることにより対応可能なことは勿論である。
【００５４】
なお、本発明は、その発明の範囲内において、各実施の形態を自由に組み合わせて、各実施の形態を適宜、変形、省略することが可能である。
【符号の説明】
【００５５】
１  ひだ部対
２  被覆電線
３  スプライス収納部分
５  スプライス部
７  ゴム栓
８  貫通口
１０  シール剤
１１  一方ひだ部
１２  他方ひだ部
１３  開口部
２０  シート部
２１，２２  ひだ付きゴムシート
４０  電線束
【図１】
2013223321.tif 000003
【図２】
2013223321.tif 000004
【図３】
2013223321.tif 000005
【図４】
2013223321.tif 000006
【図５】
2013223321.tif 000007
【図６】
2013223321.tif 000008
【図７】
2013223321.tif 000009